(57)【要約】【課題】本発明は、親展ボックス状態の変更があった場合その旨を送信元に自動的に伝えることができる利便性の高い通信装置及び通信制御方法を提供することを目的とする。【解決手段】本発明の通信装置は、特定のコードからなるＳＵＢ信号が付加された画情報受信を受けた場合、送信元特定手段により特定された相手先に、自動発呼手段により自動発呼を行い、規定フォーマットの画情報データを送信する。【選択図】　　　　図１
2004064252.tif 000002
【特許請求の範囲】
【請求項１】
送信元を特定可能な信号を受信し送信元の電話番号を特定する送信元特定手段と、
ＩＴＵ−Ｔ勧告Ｔ．３０に準拠したＳＵＢ信号を受信する受信手段と、
自動発呼手段と、
特定のコードからなるＳＵＢ信号が付加された画情報受信を受けた場合、前記送信元特定手段により特定された相手先に、前記自動発呼手段により自動発呼を行い、規定フォーマットの画情報データを送信する送信手段と
を有することを特徴とする通信装置。
【請求項２】
送信元を特定可能な信号を受信し送信元の電話番号を特定する送信元特定手段と、
ＩＴＵ−Ｔ勧告Ｔ．３０に準拠したＳＵＢ信号を受信する受信手段と、
画情報を記憶する記憶手段と、
自動発呼手段と、
特定のコードからなるＳＵＢ信号が付加された画情報受信を受けた場合、前記送信元特定手段により特定された相手先に、前記自動発呼手段により自動発呼を行い、前記記憶手段に記憶してある画情報データを送信する送信手段と
を有することを特徴とする通信装置。
【請求項３】
送信元を特定する信号は、発信電話番号通知サービスの発信電話番号である請求項１又は２に記載の通信装置。
【請求項４】
送信元を特定する信号は、ＴＳＩ信号、ＳＩＤ信号あるいはＮＳＳ信号である請求項１又は２に記載の通信装置。
【請求項５】
送信元を特定可能な信号を受信し、送信元の電話番号を特定し、ＩＴＵ−Ｔ勧告Ｔ．３０に準拠しＳＵＢ信号を受信し、特定のコードからなるＳＵＢ信号が付加された画情報受信を受けた場合、特定された相手先に自動発呼を行い、規定フォーマットの画情報データを送信することを特徴とする通信制御方法。
【請求項６】
送信元を特定可能な信号を受信し、送信元の電話番号を特定し、ＩＴＵ−Ｔ勧告Ｔ．３０に準拠しＳＵＢ信号を受信し、画情報を蓄積し、特定のコードからなるＳＵＢ信号が付加された画情報受信を受けた場合、特定された相手先に自動発呼を行い、蓄積してある画情報データを送信することを特徴とする通信制御方法。
【発明の詳細な説明】
【０００１】
【発明の属する技術分野】
本発明は通信装置及び通信制御方法に関し、詳細にはＩＴＵ−Ｔ勧告Ｔ．３０に準拠した通信機能を備え、ＳＵＢフレームを受信し、受け取ったＳＵＢ（サブアドレス）信号の情報に対応するアプリケーションを実行する通信装置に関する。
【０００２】
【従来の技術】
従来、親展ボックスという概念を導入し、その親展ボックスを個人用に割り当て、送信側からその親展ボックスに対応するボックス番号をＳＵＢ信号により指示を受け、誰宛に送られてきたものかを識別する画像通信装置が知られている。この機能を使用すると、１つの通信装置を複数の人達で使用している場合、誰宛の通信かが明確になることや、公衆回線網から受け取ったデータをＬＡＮを経由しメールの形式で個人のＰＣに転送すること、そして出張中などは出張先の通信装置に受信した画像を転送することが可能になり非常に便利である。
【０００３】
【発明が解決しようとする課題】
しかしながら、例えば異動や退職などのために親展ボックスの使用者が対象の画像通信装置の使用者ではなくなった場合は以下のような対応を取ることが一般的である。
【０００４】
１．親展ボックスを閉鎖し、その親展ボックスを指示する受信を受けた場合は、通信エラーにしてしまう。
２．異動先や自宅の電話番号を転送先に登録し、その親展ボックスを指示する受信を受けた場合、登録先に転送する。
【０００５】
これらの方法であると、以下のような問題点がある。
上記１の場合、エラーになる理由が分からず送信元の人を悩ませてしまう。
上記２の場合、一見送信がうまく行っているように思えるが、転送作業が入るため、無駄な通信費や無駄な装置占有が発生している。
【０００６】
また、上記１，２のどちらのケースでも、送信元の人に上記状況を知らせるためには、人が介在しなくてはいけない。
【０００７】
本発明はこれらの問題点を解決するためのものであり、親展ボックス状態の変更があった場合その旨を送信元に自動的に伝えることができる利便性の高い通信装置及び通信制御方法を提供することを目的とする。
【０００８】
【課題を解決するための手段】
前記問題点を解決するために、本発明の通信装置は、送信元を特定可能な信号を受信し送信元の電話番号を特定する送信元特定手段と、ＩＴＵ−Ｔ勧告Ｔ．３０に準拠したＳＵＢ信号を受信する受信手段と、自動発呼手段と、特定のコードからなるＳＵＢ信号が付加された画情報受信を受けた場合、送信元特定手段により特定された相手先に、自動発呼手段により自動発呼を行い、規定フォーマットの画情報データを送信する送信手段とを有することに特徴がある。よって、送信元にボックス状態が変化した旨を伝える規定フォーマットの画情報を送信するようにし、ボックス状態の変化情報を送信元に通知できる。
【０００９】
また、別の発明の通信装置は、送信元を特定可能な信号を受信し送信元の電話番号を特定する送信元特定手段と、ＩＴＵ−Ｔ勧告Ｔ．３０に準拠したＳＵＢ信号を受信する受信手段と、画情報を蓄積する蓄積手段と、自動発呼手段と、特定のコードからなるＳＵＢ信号が付加された画情報受信を受けた場合、送信元特定手段により特定された相手先に、自動発呼手段により自動発呼を行い、蓄積手段に蓄積してある画情報データを送信する送信手段とを有することに特徴がある。よって、予めボックス状態が変化した旨を伝える画情報を装置に蓄積しておき、その蓄積した画情報を送信元に送信するようにし、ボックス状態の変化情報を送信元に通知できる。
【００１０】
更に、送信元を特定する信号は、発信電話番号通知サービスの発信電話番号であることにより、発信電話番号通知対応の通信装置に適用可能となり好ましい。
【００１１】
また、送信元を特定する信号としては、ＴＳＩ（Ｔｒａｎｓｍｉｔｔｉｎｇ　Ｓｕｂｓｃｒｉｂｅｒ　Ｉｄｅｎｔｉｆｉｃａｔｉｏｎ；送信端末識別）信号、ＳＩＤ（Ｓｅｎｄｅｒ　ＩＤ；送信機識別）信号あるいはＮＳＳ（Ｎｏｎ−Ｓｔａｎｄａｒｄ　ｆａｃｉｌｉｔｉｅｓ　Ｓｅｔ−ｕｐ；非標準機能設定）信号であり、ＴＳＩ信号を送信可能な通信装置、ＳＩＤ信号を送信可能な通信装置、あるいは自社モードでのみ実現可能な通信装置に適用可能となり好ましい。
【００１２】
【発明の実施の形態】
本発明の通信装置は、図１に示すように、送信元を特定可能な信号を受信し送信元の電話番号を特定する送信元特定手段１と、ＩＴＵ−Ｔ勧告Ｔ．３０に準拠したＳＵＢ信号を受信する受信手段２、自動発呼手段３と、特定のコードからなるＳＵＢ信号が付加された画情報受信を受けた場合、送信元特定手段により特定された相手先に、自動発呼手段により自動発呼を行い、規定フォーマットの画情報データを送信する送信手段４とを有する。
【００１３】
【実施例】
図２は本発明の一実施例に係る通信装置の構成を示すブロック図である。なお、本実施例の通信装置としてファクシミリ装置を例として説明する。同図において、本実施例に係るファクシミリ装置１０は、システム制御部１１、システムメモリ１２、パラメータメモリ１３、スキャナ１４、プロッタ１５、網制御部１６、モデム１７、画像記憶部１８、記憶手段１９、符号化復号化部２０及び操作表示部２１を含んで構成され、各構成部は内部バス２２に接続されている。そして、システム制御部１１は装置の各部の制御処理、及びファクシミリ装置１０の各部の制御手順を行うものである。システムメモリ１２は、システム制御部１１が実行する制御処理プログラム及び処理プログラムを実行するときに必要な各種データなどを記憶するとともに、システム制御部１１のワークエリアを構成するものである。パラメータメモリ１３は、ファクシミリ装置１０に固有な各種の情報を記憶するためのものである。スキャナ１４は、所定の解像度で原稿を読み取るためのものであり、プロッタ１５は、所定の解像度で画像を記録出力するためのものである。また、操作表示部１６は、ファクシミリ装置１０を操作するもので、各種操作キー及び各種の表示器からなる。符号化復号化部１７は、画信号を符号化圧縮するとともに、符号化圧縮されている画情報を元の画信号に復号化するためのものである。画像記憶部１８は、符号化圧縮された状態の画情報を多数記憶するためのものである。記憶手段１９は、親展ボックス等のメールボックス及び後述するボックス管理テーブルを有する。モデム２０は、グループ３ファクシミリのモデム機能を受信するためのものであり、伝送手段信号を送出する低速モデム（Ｖ．２１等）、主に画情報を送受信するための高速モデム機能（Ｖ．１７，Ｖ．２９，Ｖ．２７ｔｅｒ等）、及び発信電話番号通知サービスの信号（Ｖ．２３）を受信する機能も備えている。網制御部２１は、ファクシミリ装置１０を公衆回線網に接続するものであり、自動発呼端末機能を備えている。そして、これらの各要素間でのデータのやり取りは、主としてこのシステムバスを介して行われているおり、モデム２０と網制御部２１との間のやり取りは直接行われている。
【００１４】
次に、図３は本発明で使用するボックス管理テーブルの一例を示す図である。同図に示すボックス管理テーブルは、図２の記憶手段１９に設けられたメモリテーブルであって、ボックス番号、そのボックス番号に対応する個人の情報、ボックス番号をＳＵＢ信号で受信したときの動作（アプリケーション）、蓄積画像を送信する場合の画像管理番号が格納されている。例えば「ＳＵＢ＝１２３４」の受信を受けた場合は、画情報受信後、このボックス管理テーブルの内容から図４に示すような異動通知レポートを作成し、先の通信の発信元に自動発呼しこのレポート画像を送信する。この例では、個人の情報に、氏名、現所属、旧所属と各々の電話番号とＦＡＸ番号しか登録していないが、異動した日付、異動先の住所等、他にも多くの情報を登録可能にしても良い。また、通知内容は、異動や退職に限ったものではなく、例えば子供が生まれました等、何か発信したい情報があれば、それの情報を発信するようにしても良い。
【００１５】
次に、本実施例に係るファクシミリ装置に関する動作について図５に示す動作フローに従って説明する。
先ず、端末起動信号後に送られてくるＶ．２３モデム信号による情報を取得する（ステップＳ１０１）。続いて、送信側からのＳＵＢ信号を受信したか否かの判断を行う（ステップＳ１０２）。ＳＵＢ信号を受信しなかったと判断した場合は（ステップＳ１０２；ＮＯ）、通常受信を行い（ステップＳ１０３）、終了する。一方、ＳＵＢ信号を受信した場合は（ステップＳ１０２；ＹＥＳ）、図３に示すようなボックス管理テーブルよりアプリケーションを特定する（ステップＳ１０４）。特定したアプリケーションが受信中に行うもの、例えば親展受信等である場合は、その動作を実行し（ステップＳ１０５）受信を終了する（ステップＳ１０６）。ステップＳ１０５で特定したアプリケーションが、送信元へ何か情報を通知するものであるか否かの判断を行う（ステップＳ１０７）。通知するものではない場合は（ステップＳ１０７；ＮＯ）、そのまま処理を終了し、通知するものであると判断した場合は（ステップＳ１０７；ＹＥＳ）、ステップＳ１０１で取得した情報の中に発信元の電話番号情報があるか否かの判断を行う（ステップＳ１０８）。情報が無いと判断した場合は（ステップＳ１０８；ＮＯ）、そのまま終了し、情報があると判断した場合は（ステップＳ１０８；ＹＥＳ）、その電話番号に対し自動発呼を行う（ステップＳ１０９）。自動発呼後、変更通知アプリケーションの詳細な設定を参照し、蓄積画像送信か否かの判断を行う（ステップＳ１１０）。蓄積画像送信である場合は（ステップＳ１１０；ＹＥＳ）、送信する画情報を検索し（ステップＳ１１１）、画像を送信し（ステップＳ１１２）終了する。ステップＳ１１０で蓄積画像送信ではないと判断した場合は（ステップＳ１１０；ＮＯ）、規定フォーマット送信と判断し（２種類の設定しかないと例）、ボックス管理テーブルから必要な情報を取得し、規定フォーマットに従い送信するレポートを作成し（ステップＳ１１３）、作成したレポートを送信し（ステップＳ１１２）終了する。
【００１６】
ここで、図５のステップＳ１０１でＶ．２３モデム信号による情報を取得した後、ＴＳＩ信号を取得し、ステップＳ１０８で取得したＴＳＩ信号より発信元の電話番号が特定可能かを判断するようにしてもよい。同様に、ＳＩＤ信号を取得するように変更してこのＳＩＤ信号より発信元の電話番号を特定可能に変更してもよく、またはＮＳＳ信号を取得するように変更してこのＮＳＳ信号より発信元の電話番号を特定可能に変更してもよい。
【００１７】
なお、本発明は上記実施例に限定されるものではなく、特許請求の範囲内の記載であれば多種の変形や置換が可能であることは言うまでもない。
【００１８】
【発明の効果】
以上説明したように、本発明の通信装置は、送信元を特定可能な信号を受信し送信元の電話番号を特定する送信元特定手段と、ＩＴＵ−Ｔ勧告Ｔ．３０に準拠したＳＵＢ信号を受信する受信手段と、自動発呼手段と、特定のコードからなるＳＵＢ信号が付加された画情報受信を受けた場合、送信元特定手段により特定された相手先に、自動発呼手段により自動発呼を行い、規定フォーマットの画情報データを送信する送信手段とを有することに特徴がある。よって、送信元にボックス状態が変化した旨を伝える規定フォーマットの画情報を送信するようにし、ボックス状態の変化情報を送信元に通知できる。
【００１９】
また、別の発明の通信装置は、送信元を特定可能な信号を受信し送信元の電話番号を特定する送信元特定手段と、ＩＴＵ−Ｔ勧告Ｔ．３０に準拠したＳＵＢ信号を受信する受信手段と、画情報を蓄積する蓄積手段と、自動発呼手段と、特定のコードからなるＳＵＢ信号が付加された画情報受信を受けた場合、送信元特定手段により特定された相手先に、自動発呼手段により自動発呼を行い、蓄積手段に蓄積してある画情報データを送信する送信手段とを有することに特徴がある。よって、予めボックス状態が変化した旨を伝える画情報を装置に蓄積しておき、その蓄積した画情報を送信元に送信するようにし、ボックス状態の変化情報を送信元に通知できる。
【００２０】
更に、送信元を特定する信号は、発信電話番号通知サービスの発信電話番号であることにより、発信電話番号通知対応の通信装置に適用可能となり好ましい。
【００２１】
また、送信元を特定する信号は、ＴＳＩ信号、ＳＩＤ信号あるいはＮＳＳ信号であり、ＴＳＩ信号を送信可能な通信装置、ＳＩＤ信号を送信可能な通信装置、あるいは自社モードでのみ実現可能な通信装置に適用可能となり好ましい。
【図面の簡単な説明】
【図１】本発明の通信装置の構成を示すブロック図である。
【図２】本発明の一実施例に係る通信装置の構成を示すブロック図である。
【図３】本発明で使用するボックス管理テーブルの一例を示す図である。
【図４】異動通知レポート例を示す図である。
【図５】本実施例に係るファクシミリ装置の動作を示すフローチャートである。
【符号の説明】
１０；ファクシミリ装置、１１；システム制御部、１２；システムメモリ、１３；パラメータメモリ、１４；スキャナ、１５；プロッタ、１６；網制御部、１７；モデム、１８；画像記憶部、１９；記憶部、２０；符号化復号化部、２１；操作表示部、２２；内部バス。
【図１】
2004064252.tif 000003
【図２】
2004064252.tif 000004
【図３】
2004064252.tif 000005
【図４】
2004064252.tif 000006
【図５】
2004064252.tif 000007